(57)【特許請求の範囲】
【請求項１】
共通の動力源に基づいて、第１のレンズと第２のレンズとを連動させるレンズ連動機構であって、
前記動力源にて駆動されることによって、前記第１のレンズを駆動する第１の駆動手段と、
前記第１の駆動手段にて駆動されることによって、前記第２のレンズを駆動する第２の駆動手段とを備え、
前記第１の駆動手段は、
前記動力源から動力を受けることによって、
前記第１のレンズを、該第１のレンズの光軸方向におけるテレ端からワイド端の範囲にて移動させるとともに、該第１のレンズの移動に対応する第１の駆動量を第２の駆動手段に与え、
並びに、前記第１のレンズを、該第１のレンズの光軸方向におけるテレ端にて静止させるとともに、所定の第２の駆動量を前記第２の駆動手段に与え、
前記第２の駆動手段は、
その長手方向が前記第２のレンズの光軸方向に沿うように配置され、
前記第１の駆動手段から前記第１の駆動量を受ける場合には、前記第２のレンズを、該第２のレンズの光軸方向におけるテレ端からワイド端の範囲にて移動させ、
前記第１の駆動手段から前記第２の駆動量を受ける場合には、前記第２のレンズを、該第２のレンズの光軸方向におけるワイド端に移動させること、
を特徴とするレンズ連動機構。
【請求項２】
前記第１の駆動手段は、
前記動力源から動力を受けて回転する第１の回転部と、
前記第１の回転部から前記第１のレンズ側に延出し、該第１のレンズを押圧する第１の押圧部と、
前記第１の回転部の周面に位置し、前記第１のレンズを静止させる静止部と、
前記第１の回転部から前記第２の駆動手段側に延出し、前記第１の押圧部が前記第１のレンズを押圧する間、前記第２の駆動手段を押圧する第２の押圧部と、
前記第１の回転部に対して歯合して回転する第２の回転部と、
前記第２の回転部から前記第２の駆動手段側に延出し、前記静止部が前記第１のレンズを静止させる間、前記第２の駆動手段を押圧する第３の押圧部と、
を備えること、
を特徴とする請求項１に記載のレンズ連動機構。
【請求項３】
前記第２の駆動手段は、
該第２の駆動手段を前記第２のレンズの光軸方向に案内する案内部と、
前記第２の押圧部に押圧される第１の被押圧部と、
前記第３の押圧部に押圧される第２の被押圧部と、
前記第１の被押圧部および前記第２の被押圧部に対して、前記第２のレンズ側における該第２のレンズの光軸方向の略延長線上に位置し、前記第１の被押圧部または前記第２の被押圧部が押圧されるにともなって、前記第２のレンズを押圧する第４の押圧部と、
を備えること、
を特徴とする請求項２に記載のレンズ連動機構。
【発明の詳細な説明】
【０００１】
【発明の属する技術分野】
この発明は、共通の動力源に基づいて、第１のレンズと第２のレンズとを連動させるレンズ連動機構に関し、特に、レンズ連動機構の大型化や複雑化を招くことなく、ズームレンズ系を利用した簡便な構成によってマクロ状態をつくりだすことができるレンズ連動機構に関する。
【０００２】
【従来の技術】
近年、単焦点レンズに代えて、レンズの焦点距離を連続的に変化させ、テレ状態（望遠状態）やワイド状態（広角状態）などのズーム状態をつくりだすことができるズームレンズが普及してきている。このズームレンズは、複数のレンズ群を備えて構成され、このうちの一部のレンズ群を所定の関係を維持しつつ連動可能とすることにより、レンズの焦点距離を連続的に変化させるものである。
【０００３】
このようなズームレンズの従来例としては、別々の動力源に基づいて複数のレンズ群を連動させるものや、共通の動力源に基づいて複数のレンズ群を連動させるものなど、様々な種類のものが知られている。以下に、本発明の開発にあたり、その前提となったズームレンズについて説明する。なお、当該ズームレンズは、説明の便宜のために示すものであり、いわゆる公知、公用に該当するものではない。
【０００４】
図５は、従来のズームレンズのレンズ構成を示す図である。同図に示すように、従来のズームレンズは、一般的に、中空円筒形状の撮影レンズ鏡胴５０の内部に、第１群レンズ（対物レンズ）５１と、第２群レンズ（ズームレンズ）５２と、第３群レンズ（ズームレンズ）５３と、フォーカスレンズ５６と、フィルタ５７と、ＣＣＤ（Charge  coupled  device）５８とを、光軸方向に順々に備えて構成されている。また、撮影レンズ鏡胴５０には、第２群レンズ案内溝５４および第３群レンズ案内溝５５が、それぞれ光軸方向に沿って直線的に設けられている。また、第２群レンズ５２および第３群レンズ５３には、第２群レンズピン５２ａおよび第３群レンズピン５３ａが、一体的に、それぞれ第２群レンズ案内溝５４および第３群レンズ案内溝５５から突出するように配設されている。
【０００５】
また、一般的に、レンズ連動機構として、撮影レンズ鏡胴５０の側面に、第２群レンズ５２と第３群レンズ５３とを光軸方向で連動させる円盤形状のカム（図示せず）が軸支されている。このカムには、第２群レンズ５２を駆動するカム溝と第３群レンズ５３を駆動するカム溝が、それぞれ２次曲線的に設けられており、第２群レンズピン５２ａおよび第３群レンズピン５３ａが、それぞれのカム溝に摺動可能の納められている。
【０００６】
そして、レンズ連動機構としてのカムが、モーターなどの動力源（図示せず）から動力を受けて回転することによって、第２群レンズピン５２ａは、第２群レンズ案内溝５４におけるテレ端５４ａとワイド端５４ｂとの間で光軸方向に移動し、これと同時に、第３群レンズピン５３ａは、第３群レンズ案内溝５５におけるテレ端５５ａとワイド端５５ｂとの間で光軸方向に移動する。詳細には、第２群レンズ５２がテレ端５４ａに移動するとともに、第３群レンズ５３がテレ端５５ａに移動することによって、テレ状態をつくりだし、また、第２群レンズ５２がワイド端５４ａに移動するとともに、第３群レンズ５３がワイド端５５ｂに移動することによって、ワイド状態をつくりだす。
【０００７】
【発明が解消しようとする課題】
しかしながら、上記の従来技術は、あくまでもテレ状態やワイド状態などのズーム状態をつくりだすものにすぎず、第２群レンズ５２や第３群レンズ５３などのズームレンズ系を利用してマクロ状態（超接写状態）をつくりだすことができないという問題点があった。
【０００８】
すなわち、ズームレンズ系を利用してマクロ状態をつくりだすためには、第３群レンズ１３を第３群レンズ案内溝５５のテレ端５５ａに維持しつつ、第２群レンズ１２を第２群レンズ案内溝５４のワイド端５４ｂに移動させることが必要になる。ところが、上記の従来技術は、レンズ連動機構としてのカムに、第２群レンズピン５２ａが第２群レンズ案内溝５４のテレ端５４ａからワイド端５４ｂに移動するのに合わせて、第３群レンズピン５３ａが第３群レンズ案内溝５５のテレ端５５ａからワイド端５５ｂに移動するように、２つの２次曲線的な溝が設けられるにすぎない。このため、このカムによっては、第３群レンズ１３を第３群レンズ案内溝５５のテレ端５５ａに維持しつつ、第２群レンズ１２を第２群レンズ案内溝５４のワイド端５４ｂに移動させることができず、ズームレンズ系を利用してマクロ状態をつくりだすことができないという問題点があった。
【０００９】
このような問題を解決するためには、レンズ連動機構としてのカムに、マクロ状態をつくりだすための溝を追加することも考えられるが、溝の追加にともなってカムの径を大きくする必要が生じ、レンズ連動機構の大型化を招き、カメラ全体を大型化させてしまうという別の問題が生じる。また、別々の動力源（モーターなど）から別々のカムを介して第２群レンズ５２と第３群レンズ５３とを連動させることも考えられるが、２つの動力源を制御する機構を追加する必要が生じ、レンズ連動機構を複雑化させてしまうという別の問題が生じる。
【００１０】
そこで、この発明は、上述した従来技術による問題点を解決するため、レンズ連動機構の大型化や複雑化を招くことなく、ズームレンズ系を利用した簡便な構成によってマクロ状態をつくりだすことができるレンズ連動機構を提供することを目的とする。
【００１１】
【課題を解決するための手段】
上述した課題を解決し、目的を達成するため、請求項１の発明に係るレンズ連動機構は、共通の動力源に基づいて、第１のレンズと第２のレンズとを連動させるレンズ連動機構であって、前記動力源にて駆動されることによって、前記第１のレンズを駆動する第１の駆動手段と、前記第１の駆動手段にて駆動されることによって、前記第２のレンズを駆動する第２の駆動手段とを備え、前記第１の駆動手段は、前記動力源から動力を受けることによって、前記第１のレンズを、該第１のレンズの光軸方向におけるテレ端からワイド端の範囲にて移動させるとともに、該第１のレンズの移動に対応する第１の駆動量を第２の駆動手段に与え、並びに、前記第１のレンズを、該第１のレンズの光軸方向におけるテレ端にて静止させるとともに、所定の第２の駆動量を前記第２の駆動手段に与え、前記第２の駆動手段は、その長手方向が前記第２のレンズの光軸方向に沿うように配置され、前記第１の駆動手段から前記第１の駆動量を受ける場合には、前記第２のレンズを、該第２のレンズの光軸方向におけるテレ端からワイド端の範囲にて移動させ、前記第１の駆動手段から前記第２の駆動量を受ける場合には、前記第２のレンズを、該第２のレンズの光軸方向におけるワイド端に移動させること、を特徴とする。
【００１２】
この構成によれば、従来は、カムの回転によってテレ状態やワイド状態などのズーム状態のみをつくりだしていたのに対し、本発明は、第１の駆動手段が、第１のレンズを該レンズの光軸方向におけるテレ端からワイド端の範囲にて移動させる場合には、第２の駆動手段が、第１の駆動量を受けて第２のレンズを該レンズの光軸方向におけるテレ端からワイド端の範囲にて移動させるので、テレ状態やワイド状態などのズーム状態をつくりだすことができ、また、第１の駆動手段が、第１のレンズを該レンズの光軸方向におけるテレ端にて静止させる場合には、第２の駆動手段が、第２の駆動量を受けて第２のレンズを該レンズの光軸方向におけるワイド端にて移動させるので、マクロ状態をつくることができる。さらに、この構成によれば、カムによる円運動のみを利用してレンズを光軸方向に移動させるのではなく、光軸方向に沿って直線的に配置した第２の駆動手段の直線的な移動をも利用して第２のレンズを移動させるので、カムの径を大きくすることなくマクロ状態をつくりだすことができる。したがって、本発明によれば、レンズ連動機構の大型化や複雑化を招くことなく、ズームレンズ系を利用した簡便な構成によってマクロ状態をつくりだすことができる。
【００１３】
また、請求項２の発明に係るレンズ連動機構は、前記第１の駆動手段は、前記動力源から動力を受けて回転する第１の回転部と、前記第１の回転部から前記第１のレンズ側に延出し、該第１のレンズを押圧する第１の押圧部と、前記第１の回転部の周面に位置し、前記第１のレンズを静止させる静止部と、前記第１の回転部から前記第２の駆動手段側に延出し、前記第１の押圧部が前記第１のレンズを押圧する間、前記第２の駆動手段を押圧する第２の押圧部と、前記第１の回転部に対して歯合して回転する第２の回転部と、前記第２の回転部から前記第２の駆動手段側に延出し、前記静止部が前記第１のレンズを静止させる間、前記第２の駆動手段を押圧する第３の押圧部と、を備えること、を特徴とする。
【００１４】
これは、請求項１に記載の第１の駆動手段の構造を一層具体的に示すものである。この構成によれば、第１の回転部の回転にともなって、第１の押圧部が、第１のレンズを押圧することによって、第１のレンズを該レンズの光軸方向におけるテレ端からワイド端の範囲にて移動させ、この押圧にともなって、第２の押圧部が第２の駆動手段を押圧することによって、第２のレンズを該レンズの光軸方向におけるテレ端からワイド端の範囲にて移動させる。また、第１の回転部の回転にともなって、静止部が、第１のレンズを該レンズの光軸方向におけるテレ端にて静止させ、第１の回転部の回転にともなう第２の回転部の回転にともなって、第３の押圧部が第２の駆動手段を押圧することによって、第２のレンズを該レンズの光軸方向におけるワイド端に移動させる。このため、ズーム状態をつくりだすための、第１の回転部、第１の押圧部、および、第３の押圧部に、第２の押圧部および第３の押圧部を追加するのみで、マクロ状態をつくりだすことができる。したがって、本発明によれば、レンズ連動機構の大型化や複雑化を招くことなく、ズームレンズ系を利用した簡便な構成によってマクロ状態をつくりだすことができる。
【００１５】
また、請求項３の発明に係るレンズ連動機構は、前記第２の駆動手段は、該第２の駆動手段を前記第２のレンズの光軸方向に案内する案内部と、前記第２の押圧部に押圧される第１の被押圧部と、前記第３の押圧部に押圧される第２の被押圧部と、前記第１の被押圧部および前記第２の被押圧部に対して、前記第２のレンズ側における該第２のレンズの光軸方向の略延長線上に位置し、前記第１の被押圧部または前記第２の被押圧部が押圧されるにともなって、前記第２のレンズを押圧する第４の押圧部と、を備えること、を特徴とする。
【００１６】
これは、請求項１に記載のレバーの構造を一層具体的に示すものである。この構成によれば、第１の被押圧部が第２の押圧部に押圧されるにともなって、この第１の被押圧部に対して光軸方向の延長線上に位置する第４の押圧部が第２のレンズを押圧することによって、第２のレンズを該レンズの光軸方向におけるテレ端からワイド端の範囲にて移動させる。また、第２の被押圧部が第３の押圧部に押圧されるにともなって、この第２の被押圧部に対して光軸方向の延長線上に位置する第４の押圧部が第２のレンズを押圧することによって、第２のレンズを該レンズの光軸方向におけるワイド端に移動させる。このため、ズーム状態をつくりだすための、案内部、第１の被押圧部、および、第５の押圧部に、第２の被押圧部を追加するのみで、マクロ状態をつくりだすことができる。したがって、本発明によれば、レンズ連動機構の大型化や複雑化を招くことなく、ズームレンズ系を利用した簡便な構成によってマクロ状態をつくりだすことができる。
【００１７】
【発明の実施の形態】
以下に添付図面を参照して、この発明に係るレンズ連動機構の好適な実施の形態を詳細に説明する。なお、本実施の形態では、本発明をカメラのレンズユニットに適用した場合を示すこととする。ただし、本実施の形態によりこの発明が限定されるものではなく、たとえば、撮影機構を有しない望遠鏡など、複数のレンズ群を連動させる、あらゆる光学系に適用することができる。
【００１８】
まず最初に、本実施の形態に用いるカメラのレンズユニットの構成について説明する。図１は、本実施の形態に用いるカメラのレンズユニットの平面図であり、詳細には、図１（ａ）は、テレ状態（望遠状態）にある場合のレンズユニットの構成を示し、図１（ｂ）は、ワイド状態（広角状態）にある場合のレンズユニットの構成を示し、図１（ｃ）は、マクロ状態（超接写状態）にある場合のレンズユニットの構成を示す。また、図２は、図１に示したカメラのレンズユニットの分解斜視図である。
【００１９】
図１および図２に示すように、本実施の形態に用いるレンズユニットは、概略的には、撮影レンズ鏡胴１０に覆われるズームレンズ系と、ファインダー鏡胴４０に覆われるファインダーレンズ系と、レンズ連動機構とを備えて構成される。以下に、これらズームレンズ系、ファインダーレンズ系、および、レンズ連動機構について、それぞれの具体的な構成を説明する。
【００２０】
まず最初に、図１および図２を参照して、撮影レンズ鏡胴１０に覆われるズームレンズ系について説明する。同図に示すように、撮影レンズ鏡胴１０は、その長手方向がファインダー鏡胴４０と平行になるように配置され、第２群レンズ案内溝１４と、第３群レンズ案内溝１５と、第１固定片１６と、前方固定ピン１７と、後方固定ピン１８とを備えて構成される。
また、撮影レンズ鏡胴１０は、第１群レンズ１１と、第２群レンズ１２と、第３群レンズ１３と、第２群レンズピン１２ａと、第３群レンズピン１３ａと、第２群レンズ付勢バネ１２ｂと、第３群レンズ付勢バネ１３ｂと、フォーカスレンズ（図示せず）と、フィルタ（図示せず）と、ＣＣＤ（図示せず）とを順々に内包する。以下、各構成要素について具体的に説明する。
【００２１】
ズームレンズ系において、撮影レンズ鏡胴１０は、長尺の中空円筒状にて構成されている。
また、第１群レンズ１１は、撮影レンズ鏡胴１０の前端部に固定される対物レンズである。この第１群レンズ１１は、第２群レンズ１２および第３群レンズ１３に比べてレンズ半径が大きい。このため、撮影レンズ鏡胴１０も、その大きさを必要最小限にするために、第１群レンズ１１を固持する箇所のみが大きな筒形状にて構成される。
【００２２】
また、第２群レンズ１２は、第１群レンズ１１と第３群レンズ１３との間に配置され、撮影レンズ鏡胴１０の内部において、該第２群レンズ１２の光軸方向に移動するズームレンズであり、請求項１に記載の第２のレンズに対応する。この第２群レンズ１２は、第３群レンズ１３の移動範囲よりも大きな移動範囲を、後述するレンズ連動機構（具体的には、スライドレバー２０の第２群レンズピン押圧部２２）の駆動によって移動する。
【００２３】
また、第３群レンズ１３は、第２群レンズ１２とフォーカスレンズ（図示せず）との間に配置され、撮影レンズ鏡胴１０の内部において該第３群レンズ１３の光軸方向に移動するズームレンズであり、請求項１に記載の第１のレンズに対応する。この第３群レンズ１３は、第２群レンズ１２の移動範囲よりも小さな移動範囲を、後述するレンズ連動機構（具体的には、カム３１の第３群レンズピン押圧部３１ｂ）の駆動によって移動する。
【００２４】
ここで、第２群レンズ１２および第３群レンズ１３の連動を簡単に説明すると、図１（ａ）および（ｂ）に示すように、第２群レンズ１２および第３群レンズ１３は、両者が接近する方向に移動することによって、ワイド状態からテレ状態へとズーム倍率が遷移する。また、第２群レンズ１２および第３群レンズ１３は、両者が離れる方向に移動することによって、テレ状態からワイド状態へとズーム倍率が遷移する。さらに、図１（ａ）および（ｃ）に示すように、第３群レンズ１３をテレ状態の位置にて静止させるとともに、第２群レンズ１２をワイド状態の位置に移動させることによって、マクロ状態をつくりだす。
【００２５】
また、第２群レンズピン１２ａは、第２群レンズ１２の円周部に配設される案内ピンであり、これによって、第２群レンズピン１２ａが押圧されると、第２群レンズ１２も一体的に移動する。
また同様に、第３群レンズピン１３ａは、第３群レンズ１３の円周部に配設される案内ピンであり、これによって、第３群レンズピン１３ａが押圧されると、第３群レンズ１３も一体的に移動する。
【００２６】
また、第２群レンズ付勢バネ１２ｂは、撮影レンズ鏡胴１０の中心部と第２群レンズ１２との間に配設されるバネである。これによって、第２群レンズ１２はスライドレバー２０の第２群レンズピン押圧部２２側に付勢され、スライドレバー２０の第２群レンズピン押圧部２２と第２群レンズピン１２ａ、また、スライドレバー２０の第１レバーピン２１とカム３１の第１レバーピン押圧部３１ｃは常に接触状態になる。このため、後述するように、第２群レンズ１２は、常時、スライドレバー２０の移動に連動して移動する。
【００２７】
また同様に、第３群レンズ付勢バネ１３ｂは、撮影レンズ鏡胴１０の中心部と第３群レンズ１３との間に配設されるバネである。これによって、第３群レンズ１３はカム３１の第３群レンズピン押圧部３１ｂに付勢され、カム３１の第３群レンズピン押圧部３１ｂと第３群レンズピン１３ａは常に接触状態になる。このため、後述するように、第３群レンズ１３は、常時、カム３１の回転に連動して移動する。
【００２８】
また、第２群レンズ案内溝１４は、撮影レンズ鏡胴１０のファインダー鏡胴４０側の側面の前方部において第２群レンズ１２の光軸方向（ズームレンズ系の光軸方向）に沿って直線的に設けられる溝である。これによって、第２群レンズピン１２ａは、撮影レンズ鏡胴１０から滑動可能に突出して、スライドレバー２０の第２群レンズピン押圧部２２と接触するとともに、テレ端１４ａとワイド端１４ｂの範囲を移動する。
【００２９】
また同様に、第３群レンズ案内溝１５は、撮影レンズ鏡胴１０のファインダー鏡胴４０側にの側面の後方部において第３群レンズ１３の光軸方向（ズームレンズ系の光軸方向）に沿って直線的に設けられる溝である。これによって、第３群レンズピン１３ａは、撮影レンズ鏡胴１０から滑動可能に突出して、カム３１の第３群レンズピン押圧部３１ｂと接触するとともに、テレ端１５ａとワイド端１５ｂの範囲を移動する。
【００３０】
また、第１固定片１６は、撮影レンズ鏡胴１０の前端の側面に設けられる結合部材である。この第１固定片１６を、ネジなどを用いてファインダー鏡胴４０の第２固定片４５と結合することによって、撮影レンズ鏡胴１０とファインダー鏡胴４０は、両者の長手方向（ズームレンズ系の光軸方向とファインダーレンズ系の光軸方向）が平行になるようにして結合される。
【００３１】
また、前方固定ピン１７および後方固定ピン１８は、撮影レンズ鏡胴１０と基板３０とを結合するための結合部材である。この前方固定ピン１７は、撮影レンズ鏡胴１０の前端部に位置して、基板３０の前方固定穴３４と結合し、また、後方固定ピン１８は、撮影レンズ鏡胴１０の後端部に位置して、基板３０の後方固定穴３５と結合する。これによって、撮影レンズ鏡胴１０と基板３０は、両者の長手方向が平行になるようにして結合される。
【００３２】
次に、図１および図２を参照して、ファインダー鏡胴４０に覆われるファインダーレンズ系について説明する。同図に示すように、ファインダー鏡胴４０は、その長手方向が撮影レンズ鏡胴１０と平行になるように配置され、ファインダーレンズ案内溝４３と、第２固定片４５とを備えて構成される。
また、ファインダー鏡胴４０は、対物ファインダーレンズ４１と、移動ファインダーレンズ４２と、ファインダーレンズピン４２ａと、固定ファインダーレンズ群（図示せず）と、接眼ファインダーレンズ（図示せず）とを順々に内包する。また、ファインダー鏡胴４０は、その上面の前端部にて、ファインダーカム４４を備える。以下、各構成要素について具体的に説明する。
【００３３】
ファインダーレンズ系において、ファインダー鏡胴４０は、撮影レンズ鏡胴１０と同様に、中空円筒形状にて構成されている。
また、対物ファインダーレンズ４１は、ファインダー鏡胴４０の前端部にて固定される対物レンズである。なお、この対物ファインダーレンズ４１は、移動ファインダーレンズ４２に比べてレンズ半径が大きいので、ファインダー鏡胴４０も、その大きさを必要最小限とするために、対物ファインダーレンズ４１を固持する箇所のみを大きな筒形状にて構成することもできる。
【００３４】
また、移動ファインダーレンズ４２は、対物ファインダーレンズ４１と固定ファインダーレンズ群（図示せず）との間に配置され、ファインダー鏡胴４０の内部を該移動ファインダーレンズ４２の光軸方向に移動するレンズであり、請求項６に記載のファインダーレンズに対応する。この移動ファインダーレンズ４２は、後述する、ファインダーカム４４の押圧溝４４ｂによって、移動させられる。
【００３５】
また、ファインダーレンズピン４２ａは、移動ファインダーレンズ４２の円周部に配設される案内ピンであり、これによって、ファインダーレンズピン４２ａが押圧されると、移動ファインダーレンズ４２も一体的に移動する。
また、ファインダーレンズ案内溝４３は、ファインダー鏡胴４０の上面の前方部において移動ファインダーレンズ４２の光軸方向（ファインダーレンズ系の光軸方向）に沿って直線的に設けられる溝である。これによって、移動ファインダーレンズ４２は、ファインダー鏡胴４０から摺動可能に突出して、ファインダーカム４４の押圧溝４４ｂと接触する。このため、移動ファインダーレンズ４２は、その光軸方向にのみ移動する。
【００３６】
また、ファインダーカム４４は、ファインダー鏡胴４０の上面の前方部に配置され、スライドレバー２０から駆動量を受けることによって、移動ファインダーレンズ４２を該移動ファインダーレンズ４２の光軸方向に移動させる運動伝達部材である。
具体的には、ファインダーカム４４は、ファインダー鏡胴４０の上面によって軸支されるファインダーカム中心点４４ｃと、ファインダーカム中心点４４ｃからスライドレバー２０側に延出して、スライドレバー２０のファインダーカム押圧部２４に接触する被押圧溝４４ａと、ファインダーカム中心点４４ｃからファインダーレンズピン４２ａ側に延出して、ファインダーレンズピン４２ａに接触する押圧溝４４ｂとを一体的に備えて構成される。
【００３７】
ここで、ファインダーカム４４の動作を詳細に説明すると、ファインダーカム４４は、被押圧溝４４ａおよび押圧溝４４ｂが、スライドレバー２０のファインダーカム押圧部２４の移動にともなって、ファインダーカム中心点４４ｃを中心に回転することによって、移動ファインダーレンズ４２を光軸方向に移動させる。この移動ファインダーレンズ４２の移動によって、ファインダーレンズ系の倍率も、撮影レンズ系の倍率の変化（ワイド状態からテレ状態の範囲内におけるズーム倍率の変化）に連動して変化する。
【００３８】
また、ファインダー鏡胴４０において、第２固定片４５は、ファインダー鏡胴４０の前端の側面に設けられる結合部材である。この第２固定片４５を、ネジなどを用いて撮影レンズ鏡胴１０の第１固定片１６と結合することによって、撮影レンズ鏡胴１０とファインダー鏡胴４０は、両者の長手方向（ズームレンズ系の光軸方向とファインダーレンズ系の光軸方向）が平行になるようにして結合される。
【００３９】
ところで、一般的に、ズームレンズ系およびファインダーレンズ系とも、対物レンズ（第１群レンズ１１および対物ファインダーレンズ４１）のレンズ半径は他のレンズのレンズ半径に比べて大きいので、上述のように撮影レンズ鏡胴１０およびファインダー鏡胴４０は、その大きさを必要最小限にするために、対物レンズを固持する箇所（以下、対物レンズ部分という。）のみが大きな筒形状にて構成される。また、一般的に、ファインダーレンズ系のレンズ半径は、撮影レンズ系のレンズ半径に比べて小さいので、ファインダー鏡胴４０は、撮影レンズ鏡胴１０に比べて小さな筒形状にて構成される。
【００４０】
したがって、撮影レンズ鏡胴１０とファインダー鏡胴４０とを、両者の対物レンズ部分を最接近させ、かつ、両者の上面が同一平面上になるように固定配置してレンズユニットを構成した場合には、両者間の対物レンズ部分以外の箇所の光軸方向およびファインダー鏡胴４０の下方向に、それぞれ空間が生じる。このため、これらの空間を利用しつつカメラ全体の小型化を図るために、光軸方向の空間には、後述するレンズ連動機構が設けられ、また、ファインダー鏡胴４０の下部方向の空間には、後述するモーター３２などが設けられる。
【００４１】
次に、図１および図２を参照して、レンズ連動機構について説明する。同図に示すように、レンズ連動機構は、基板３０と、モーター３２と、ギヤ３３と、カム３１と、マクロレバー３８と、スライドレバー２０とを備えて構成される。以下、各構成要素について具体的に説明する。
【００４２】
レンズ連動機構において、基板３０は、その長手方向が撮影レンズ鏡胴１０に沿うように撮影レンズ鏡胴１０とファインダー鏡胴４０との間に配置される平板形状の部材であり、前方固定穴３４と、後方固定穴３５と、前方案内ピン３６と、後方案内ピン３７と備えるとともに、撮影レンズ鏡胴１０側にてスライドレバー２０を支持する。
【００４３】
この基板３０において、前方固定穴３４および後方固定穴３５は、撮影レンズ鏡胴１０と基板３０とを結合するための結合部である。この前方固定穴３４は、基板３０の前端部に位置して、撮影レンズ鏡胴１０の前方固定ピン１７と結合し、また、後方固定穴３５は、基板３０の後端部に位置して、撮影レンズ鏡胴１０の後方固定ピン１８と結合する。これによって、基板３０は、その長手方向が撮影レンズ鏡胴１０と平行になる状態で、撮影レンズ鏡胴１０の側面（第２群レンズピン１２ａおよび第３群レンズピン１３ａが突出する面）にて固定される。
【００４４】
また、基板３０において、前方案内ピン３６および後方案内ピン３７は、スライドレバー２０側の側面に配置され、スライドレバー２０を移動可能に支持する支持部材である。この前方案内ピン３６は、基板３０の前方部に位置して、スライドレバー２０の前方案内溝２５と滑合し、また、後方案内ピン３７は、基板３０の前方部に位置して、スライドレバー２０の後方案内溝２６と滑合する。これによって、スライドレバー２０は、基板３０に沿った方向にのみ移動する。
【００４５】
また、レンズ連動機構において、モーター３２は、撮影者による外部操作（たとえば、ズームボタンなどによるレンズ位置の指示など）に基づいて、ワイド状態、テレ状態、マクロ状態などの所望のレンズ位置（所望のズーム倍率）に第２群レンズ１２および第３群レンズ１３を移動させるのに必要な駆動量を回転によって発生する動力源である。なお、モーター３２は、ファインダー鏡胴４０の下部方向に配置される。
【００４６】
また、レンズ連動機構において、ギヤ３３は、モーター３２によって発生した駆動量をカム３１に伝達する運動伝達部材であり、基板３０のファインダー鏡胴４０側の側面にて回転可能に支持される。具体的には、互いに歯合した複数の歯車から構成される。そして、モーター３２の回転にともなって回転することによってカム３１に駆動量を伝達する。
【００４７】
また、レンズ駆動機構において、カム３１とマクロレバー３８は、基板３０およびスライドレバー２０を挟み込むように配置され、第３群レンズ１３を該レンズの光軸方向におけるテレ端からワイド端の範囲にて移動させるとともに、この第３群レンズ１３の移動に対応する駆動量をスライドレバー２０に与え、並びに、第３群レンズ１３を該レンズの光軸方向におけるテレ端にて静止させるとともに、所定の駆動量をスライドレバー２０に与える駆動部材である。
【００４８】
具体的には、このカム３１は、ギヤ３３とマクロレバー３８に対して歯合するカム回転部３１ａと、第３群レンズピン１３ａに接触する第３群レンズピン押圧部３１ｂと、スライドレバー２０の第１レバーピン２１を押圧する第１レバーピン押圧部３１ｃとを一体的に備えて構成される。また、マクロレバー３８は、カム３１に対して歯合するマクロレバー回転部３８ａと、スライドレバー２０の第２レバーピン２７を押圧する第２レバーピン押圧部３８ｂとを一体的に備えて構成される。以下に、このカム３１とマクロレバー３８とについて、詳細に説明する。
【００４９】
まず最初に、カム３１について説明すると、カム３１において、カム回転部３１ａは、円盤形状にて構成され、円周部にてギヤ３３とマクロレバー３８に歯合する。そして、撮影レンズ鏡胴１０の側面にて回転可能に支持されつつ基板３０の下部方向に配置される。この位置に配置されることによって、カム３１は、撮影レンズ鏡胴１０の最大径を越えなることなく回転する。
【００５０】
また、第３群レンズピン押圧部３１ｂは、第１押圧部と、第２押圧部とを備え、基板３０とファインダー鏡胴４０との間に配置される。この第１押圧部は、カム回転部３１ａから第３群レンズ１３側に延出して、第３群レンズピン１３ａを押圧することによって、第３群レンズピン１３ａを第３群レンズ案内溝１５におけるテレ端１５ａからワイド端１５ｂの範囲で移動させるように、曲線形状の押圧面をもって形成される。また、第２押圧部は、カム回転部３１ａの周面において、第３群レンズピン１３ａを押圧することによって、第３群レンズ１３を第３群レンズ案内溝１５におけるテレ端１５ａに静止させるように、カム中心点３１ｄから同心円形状の押圧面をもって形成される。
【００５１】
また、カム３１において、第１レバーピン押圧部３１ｃは、カム回転部３１ａからスライドレバー２０側に棒形状に延出して構成されて、撮影レンズ鏡胴１０とスライドレバー２０との間に配置される。また、第１レバーピン押圧部３１ｃは、カム３１において、第３群レンズピン押圧部３１ｂの第１押圧部が第３群レンズピン１３ａを押圧している間だけ、スライドレバー２０の第１レバーピン２１を押圧して、第３群レンズ１３の移動量に対応する駆動量をスライドレバー２０に与えるように形成される。また、第１レバーピン押圧部３１ｃは、カム３１において、第３群レンズピン押圧部３１ｂの第２押圧部による第３レンズピン１３ａの押圧を妨げることがないように、該第２押圧部を回避して延出する。
【００５２】
次に、マクロレバー３８について説明すると、マクロレバー３８において、マクロレバー回転部３８ａは、円盤形状にて構成される。そして、マクロレバー回転部３８ａは、カム３１の第３群レンズピン押圧部３１ｂおよび第１レバーピン押圧部３１ｃの可動面とファインダー鏡胴４０との間に配置される。この位置に配置されることによって、マクロレバー３８は、カム３１の第３群レンズピン押圧部３１および第１レバーピン押圧部３１ｃの動作を妨げることなく回転する。また、マクロレバー回転部３８ａは、撮影レンズ鏡胴１０の側面にて回転可能に支持されつつ基板３０の下部方向に配置される。この位置に配置されることによって、カム３１は、撮影レンズ鏡胴１０の最大径を越えなることなく回転する。
【００５３】
また、マクロレバー３８において、第２レバーピン押圧部３８ｂは、マクロレバー回転部３８ａからスライドレバー側に棒形状にて延出して構成され、基板３０とファインダー鏡胴４０との間に配置される。また、第２レバーピン押圧部３８ｂは、マクロレバー３８において、カム３１の第３群レンズピン押圧部３１ｂの第２押圧部が第３レンズピン１３ａを押圧している間だけ、スライドレバー２０の第２レバーピン２７を押圧して、所定の駆動量をスライドレバー２０に与えるように形成される。
【００５４】
ここでカム３１とマクロレバー３８の動作を詳細に説明する。まず、カム３１は、カム回転部３１ａによって、カム中心点３１ｄを中心にしてギヤ３３の回転にともなって回転する。そして、カム３１の回転にともなって、カム３１の第３群レンズピン押圧部３１ｂにおいて、第１押圧部または第２押圧部によって第３群レンズピン１３ｂを押圧する。
【００５５】
ここで第３群レンズピン押圧部３１ｂの第１押圧部が第３群レンズピン１３ａを押圧する場合には、この押圧によって、カム３１は、第３群レンズ１３を該レンズの光軸方向におけるテレ端からワイド端の範囲にて移動させる。また同時に、第３群レンズピン押圧部３１ｂの第１押圧部による第３群レンズピン１３ａの押圧にともなって、第１レバーピン押圧部３１ｃが第１レバーピン２１を押圧することによって、カム３１は、第３群レンズ１３の移動量に対応する駆動量をスライドレバー２０に与える（スライドレバー２０を移動させる）。なお、カム３１の回転にともなって、マクロレバー３８も回転するが、第１押圧部が第３レンズピン１３ａを押圧している間は、マクロレバー３８の第２レバーピン押圧部３８ｂは、第２レバーピン２７と非接触状態となり、第２レバーピン押圧部３８ｂによるスライドレバー２０の押圧はおこなわれない。
【００５６】
一方、カム３１の回転にともなって、第３群レンズピン押圧部３１ｂの第２押圧部が第３群レンズピン１３ａを押圧する場合には、この押圧によって、カム３１は、第３群レンズ１３を該レンズの光軸方向におけるテレ端にて静止させる。また同時に、カム３１の回転にともなって、マクロレバー３８が回転し、このマクロレバー３８の回転にともなって、マクロレバー３８の第２レバーピン押圧部３８ｂが第２レバーピン２７を押圧することによって、マクロレバー３８は、所定の駆動量をスライドレバー２０に与える（スライドレバー２０を移動させる）。なお、この第３群レンズピン押圧部３１ｂの第２押圧部が第３群レンズピン１３ａを押圧している間、第１レバーピン押圧部３１ｃは、第１レバーピン２１と非接触状態となり、第１レバーピン押圧部３１ｃによるスライドレバー２０の押圧はおこなわれない。
【００５７】
なお、カム３１とマクロレバー３８は、上述の説明に限定されるものではなく、その可動領域が撮影レンズ鏡胴１０およびファインダー鏡胴４０の最大径を越えることなく、撮影レンズ鏡胴１０とファインダー鏡胴４０と間に配置される構造を有し、第３群レンズ１３を光軸方向におけるテレ端１５ａとワイド端１５ｂの範囲にて移動させるとともに、この第３群レンズ１３の移動量に対応した駆動量をスライドレバー２０に伝達し、並びに、第３群レンズ１３を光軸方向におけるテレ端１５ａにて静止させるとともに、所定の駆動量をスライドレバー２０に駆動量を伝達することができる構成であれば、適宜変更することができる。たとえば、カム３１において、第３群レンズピン押圧部３１ｂの第２押圧部が第３群レズピン１３ａに接触しない面形状を有し、第３群レンズ案内溝１５のテレ端１５ａにて保持する構成でもよい。
【００５８】
また、レンズ連動機構において、スライドレバー２０は、その長手方向が第２群レンズ１２の光軸方向に沿うように撮影レンズ鏡胴１０と基板３０との間に配置され、カム３１から駆動量を受ける場合には、第２群レンズ１２の光軸方向におけるテレ端方向またはワイド方向へ移動することによって、第２群レンズ１２を該レンズの光軸方向におけるテレ端からワイド端の範囲にて移動させ、マクロレバー３８から駆動量を受ける場合には、第２群レンズ１２の光軸方向におけるワイド端方向に移動することによって、第２群レンズ１２を該レンズの光軸方向におけるワイド端に移動させる駆動部材である。
【００５９】
具体的には、スライドレバー２０は、カム３１の第１レバーピン押圧部３１ｃに押圧される第１レバーピン２１と、マクロレバー３８の第２レバーピン押圧部３８ｂに押圧される第２レバーピン２７と、第１レバーピン２１および第２レバーピン２７の位置から第２群レンズ１２の光軸方向に延出して第２群レンズピン１２ａを押圧する第２群レンズピン押圧部２２と、位置検出部２３と、ファインダーカム押圧部２４と、スライドレバー２０を第２群レンズの光軸方向に案内する前方案内溝２５および後方案内溝２６とを一体的に備えて構成される。以下、これらの構成について詳細に説明する。
【００６０】
このスライドレバー２０において、第１レバーピン２１は、撮影レンズ鏡胴１０側の側面の中央部前方に配置され、カム３１の第１レバーピン押圧部３１ｃと接触する。これによって、スライドレバー２０は、カム３１から駆動量を受ける。なお、上述のカム３１の説明において述べたように、第１レバーピン２１と第１レバーピン押圧部３１ｃとは、カム３１における第３群レンズピン押圧部３１ｂの第１押圧部が第３群レンズピン１３ａを押圧している間だけ接触する。
また、第２レバーピン２７は、撮影レンズ鏡胴１０側の側面の中央部後方に配置され、マクロレバー３８の第２レバーピン押圧部３８ｂと接触する。これによって、スライドレバー２０は、マクロレバー３８から駆動量を受ける。なお、上述のマクロレバー３８の説明において述べたように、第２レバーピン２７と第２レバーピン押圧部３８ｂとは、カム３１における第３群レンズピン押圧部３１ｂの第２押圧部が第３群レンズピン１３ａを押圧している間だけ接触する。
【００６１】
また、スライドレバー２０において、第２群レンズピン押圧部２２は、第１レバーピン２１よりも前方の下方部に配置され、撮影レンズ鏡胴１０から滑動可能に突出した第２群レンズピン１２ａと常に接触する。これによって、スライドレバー２０は、常時、第２群レンズピン１２ａに駆動量を与える。
【００６２】
また、スライドレバー２０において、位置検出部２３は、後端部にてファインダー鏡胴４０側に延出して配置され、この位置検出部２３の下部方向に設けられる位置検出センサー（図示せず）と常に接触する。この位置検出センサーにおいて、スライドレバー２０の位置（第２群レンズ１２、第３群レンズ１３および移動ファインダーレンズ４２の位置）を検出し、この検出結果をモーター３２にフィードバックすることによって、所望の位置に第２群レンズ１２、第３群レンズ１３および移動ファインダーレンズ４２を停止させる。
また、ファインダーカム押圧部２４は、前端部にてファインダー鏡胴４０のファインダーカム４４側に延出して、基板３０とファインダー鏡胴４０との間に配置され、ファインダーカム４４の被押圧溝４４ａと常に滑合する。これによって、スライドレバー２０は、常時、ファインダーカム４４に駆動量を与える。
【００６３】
また、スライドレバー２０において、前方案内溝２５は、第１レバーピン２１の前方部において第２群レンズ１２の光軸方向に直線的に設けられる溝であり、ここから基板３０の前方案内ピン３６が滑動可能に突出する。また、後方案内溝２６は、第１レバーピン２１の後方部において第２群レンズ１２の光軸方向に直線的に設けられる溝であり、ここから基板３０の後方案内ピン３７が滑動可能に突出する。この前方案内溝２５および後方案内溝２６によって、スライドレバー２０は、光軸方向にのみ移動し、この移動量と同様の移動量が第２群レンズピン１２ａに伝達される。
なお、スライドレバー２０の移動範囲は、前方案内溝２５および後方案内溝２６における光軸方向の溝の長さに依存するが、この溝は、レンズ位置の調整やバックラッシュ余裕のために、第２群レンズ１２の移動範囲（ワイド端とテレ端の範囲）よりも長く余裕をもって構成される。
【００６４】
ここでスライドレバー２０の動作を詳細に説明すると、スライドレバー２０は、第１レバーピン２１が押圧されることによって、カム３１の回転にともなって、第２群レンズの光軸方向におけるテレ端方向またはワイド端方向へ移動する。また、スライドレバー２０は、第２レバーピン２７が押圧されることによって、マクロレバー３８の回転にともなって、第２群レンズの光軸方向におけるワイド端方向へ移動する。そして、このスライドレバー２０のいずれかの移動にともなって、第２群レンズピン押圧部２２が第２群レンズピン１２ａを押圧することによって、スライドレバー２０は、第２群レンズ１２を該レンズの光軸方向に、スライドレバー２０の移動と等しく移動させる。
【００６５】
また同時に、スライドレバー２０は、スライドレバー２０の移動にともなって、ファインダーカム押圧部２４がファインダーカム４４の被押圧溝４４ａを押圧することによって、移動ファインダーレンズ４２を該レンズの光軸方向に移動させる。また同時に、スライドレバー２０の移動にともなって、位置検出部２３が位置検出センサー上を移動することによって、位置検出センサーは、スライドレバー２０の位置を検出する。
【００６６】
なお、スライドレバー２０は、上述の説明に限定されるものではなく、その可動領域が撮影レンズ鏡胴１０およびファインダー鏡胴４０の最大径を越えることなく、撮影レンズ鏡胴１０とファインダー鏡胴４０と間に配置される構造を有し、カム３１の駆動によって、第２群レンズ１２を光軸方向におけるテレ端からワイド端の範囲にて移動させ、また、マクロレバー３８の駆動によって、第２群レンズ１２を光軸方向におけるワイド端に移動させることができる構成であれば、適宜変更することができる。
【００６７】
次に、上記のように構成されるレンズ連動機構による第２群レンズ１２と第３群レンズ１３との連動について、図３および図４を参照して説明する。図３は、レンズ連動機構による第２群レンズ１２と第３群レンズ１３との連動を説明するための図であり、図１および図２に示したファインダー鏡胴４０の方向から見た、撮影レンズ鏡胴１０およびレンズ連動機構を示す。詳細には、図３（ａ）は、ズームレンズがテレ状態にある場合を示し、図３（ｂ）は、ズームレンズがワイド状態にある場合を示し、図３（ｃ）は、ズームレンズがマクロ状態にある場合を示す。なお、図３においては、説明の便宜上、レンズ連動機構としては、カム３１およびスライドレバー２０のみを図示している。
【００６８】
また、図４は、レンズ連動機構による第２群レンズ１２および第３群レンズ１３のレンズ位置の遷移を示す図であり、図１および図２に示したファインダー鏡胴４０の方向から見た、撮影レンズ鏡胴１０を示す。詳細には、図４（ａ）は、ズームレンズがテレ状態にある場合を示し、図４（ｂ）は、ズームレンズがワイド状態にある場合を示し、図４（ｃ）は、ズームレンズがマクロ状態にある場合を示す。なお、図４においては、説明の便宜上、レンズ連動機構を省略している。
【００６９】
図３（ａ）に示すように、ズームレンズがテレ状態にある場合において、第３群レンズピン１３ａは、第３群レンズピン押圧部３１ｂとの接触範囲内（第１押圧部）で最もカム回転部３１ａに近い位置で接触する。また、第１レバーピン２１は、カム３１の第１レバーピン押圧部３１ｃとの接触範囲内で最もカム回転部３１ａに遠い位置で接触する。さらに、第２レバーピン２７は、マクロレバー３８の第２レバーピン押圧部３８ｂとの接触範囲内で最もマクロレバー回転部３８ａに遠い位置で接触する。このため、図４（ａ）に示すように、第３群レンズ１３は、第３群レンズ１３の移動範囲内で最も第１群レンズ１１に近い位置（テレ端１５ａ）に位置し、第２群レンズ１２も、第２群レンズ１２の移動範囲内で最も第１群レンズ１１に遠い位置（テレ端１４ａ）に位置する。
【００７０】
また、図３（ａ）に示すテレ状態から、カム３１が撮影レンズ鏡胴１０に対して右回転することにより、図３（ａ）および（ｂ）に示すように、第３群レンズピン１３ａと第３群レンズピン押圧部３１ｂ（第１押圧部）との接触位置は、カム回転部３１ａから遠ざかる方向に移動する。また同時に、第１レバーピン２１と第１レバーピン押圧部３１ｃとの接触位置は、カム回転部３１ａに近づく方向に移動して、第２群レンズピン押圧部２２も、第１群レンズ１１に近づく方向に移動する。さらに、第２レバーピン２７は、マクロレバー３８の第２レバーピン押圧部３８ｂと非接触状態になる。このため、図４（ｂ）に示すように、第３群レンズ１３は、第１群レンズ１１から遠ざかる方向（ワイド端１５ｂ）に移動し、第２群レンズ１２も、第１群レンズ１１に近づく方向（ワイド端１４ｂ）に移動する。このように、カム３１の回転にともなって、ズームレンズは、図３（ａ）および図４（ａ）に示すテレ状態から図３（ｂ）および図４（ｂ）に示すワイド状態へと遷移する。
【００７１】
また、図３（ａ）に示すテレ状態から、カム３１が撮影レンズ鏡胴１０に対して左回転することにより、図３（ａ）および（ｃ）に示すように、第３群レンズピン１３ａと第３群レンズピン押圧部３１ｂ（第２押圧部）との接触位置は、カム回転部３１ａの同一円周面を移動する。また同時に、第２レバーピン２７と第２レバーピン押圧部３８ｂとの接触位置は、マクロレバー回転部３８ａに近づく方向に移動して、第２群レンズピン押圧部２２も、第１群レンズ１１に近づく方向に移動する。さらに、第１レバーピン２１は、カム３１の第１レバーピン押圧部３１ｃと非接触状態になる。このため、図４（ｃ）に示すように、第３群レンズ１３は、第１群レンズ１１に最も近い位置（テレ端１５ａ）で静止し、第２群レンズ１２は、第１群レンズ１１に近づく方向（ワイド端１４ｂ）に移動する。このように、カム３１の回転にともなって、ズームレンズは、図３（ａ）および図４（ａ）に示すテレ状態から図３（ｃ）および図４（ｃ）に示すマクロ状態へと遷移する。
【００７２】
上述してきたように、本実施の形態では、カム３１およびマクロレバー３８が、モーター３２から動力を受けることによって、第３群レンズ１３を該レンズの光軸方向におけるテレ端１５ａからワイド端１５ｂの範囲にて移動させるとともに、該第３群レンズ１３の移動に対応する第１の駆動量をスライドレバー２０に与え、並びに、第３群レンズ１３を該レンズの光軸方向におけるテレ端１５ａにて静止させるとともに、所定の第２の駆動量をスライドレバー２０に与え、スライドレバー２０は、その長手方向が第２群レンズ１２の光軸方向に沿うように配置され、カム３１またはマクロレバー３８から前記第１の駆動量を受ける場合には、第２群レンズ１２を該レンズの光軸方向におけるテレ端１４ａからワイド端１４ｂの範囲にて移動させ、カム３１またはマクロレバー３８から前記第２の駆動量を受ける場合には、第２群レンズを該レンズの光軸方向におけるワイド端１４ｂに移動させることとしたので、レンズ連動機構の大型化や複雑化を招くことなく、ズームレンズ系を利用した簡便な構成によってマクロ状態をつくりだすことができる。
【００７３】
また、本実施の形態では、カム３１が、モーター３２から動力を受けて回転するカム回転部３１ａと、カム回転部３１ａから第３群レンズ１３側に延出し、該第３群レンズ１３を押圧する第３群レンズピン押圧部３１ｂの第１押圧部と、カム回転部３１ａの周面に位置し、第３群レンズ１３を静止させる第３群レンズピン押圧部３１ｂの第２押圧部と、カム回転部３１ａからスライドレバー２０側に延出し、第３群レンズピン押圧部３１ｂの第１押圧部が第３群レンズ１３を押圧する間、スライドレバー２０を押圧する第１レバーピン押圧部３１ｃと、を備え、マクロレバー３８が、カム回転部３１ａに対して歯合して回転するマクロレバー回転部３８ａと、マクロレバー回転部３８ａからスライドレバー２０側に延出し、第３群レンズピン押圧部３１ｂの第２押圧部が第３群レンズ１３を押圧する間、スライドレバー２０を押圧する第２レバーピン押圧部３８ｂと、を備えることとしたので、レンズ連動機構の大型化や複雑化を招くことなく、ズームレンズ系を利用した簡便な構成によってマクロ状態をつくりだすことができる。
【００７４】
また、本実施の形態では、スライドレバー２０が、該スライドレバー２０を第２群レンズ１２の光軸方向に案内する前方案内溝２５および後方案内溝２６と、カム３１の第１レバーピン押圧部３１ｃに押圧される第１レバーピン２１と、マクロレバー３８の第２レバーピン押圧部３８ｂに押圧される第２レバーピン２７と、第１レバーピン２１および第２レバーピン２７に対して、第２群レンズ１２側における該第２群レンズ１２の光軸方向の略延長線上に位置し、第１レバーピン２１または第２レバーピン２７が押圧されるにともなって、第２群レンズ１２を押圧する第２群レンズピン押圧部２２と、を備えることとしたので、レンズ連動機構の大型化や複雑化を招くことなく、ズームレンズ系を利用した簡便な構成によってマクロ状態をつくりだすことができる。
【００７５】
また、本実施の形態では、スライドレバー２０は、該スライドレバー２０の移動位置を検出する位置検出部２３を、さらに備えることとしたので、カメラ全体の小型化を妨げることなく、レンズ位置の検出をおこなうことができる。
【００７６】
また、本実施の形態では、レンズ連動機構と、撮影レンズ鏡胴１０に覆われるズームレンズ系と、ファインダー鏡胴４０に覆われるファインダーレンズ系と、を備えるレンズユニットであって、ズームレンズ系とファインダーレンズ系との間に、レンズ連動機構を配置することとしたので、レンズユニットの小型化を図ることができ、結果的に、カメラ全体の小型化を図ることができる。
【００７７】
また、本実施の形態では、スライドレバー２０は、ファインダーカム４４を押圧するファインダーカム押圧部２４をさらに備え、スライドレバー２０が第２群レンズ１２の光軸方向に移動することによって、ファインダーカム４４を押圧し、移動ファインダーレンズ４２を該レンズの光軸方向に移動させることとしたので、レンズユニットおよびカメラ全体の小型化を妨げることなく、ファインダーレンズをズーム作動に合わせて移動させることができる。
【００７８】
なお、本実施の形態では、第２群レンズ１２と第３群レンズ１３とを、カム３１と、マクロレバー３８と、スライドレバー２０とを用いて連動させる場合を説明したが、本発明はこれに限定されるものではなく、レンズの数や組み合わせ、駆動機構の数や組み合わせなどは、適宜変更することができる。たとえば、カム３１とマクロレバー３８とを一体的に構成するとともに、これに駆動される２つのスライドレバー２０を備えることによって、第２群レンズ１２と第３群レンズ１３とを連動させて、ズーム状態およびマクロ状態をつくりだすこともできる。
【００７９】
【発明の効果】
以上説明したように、請求項１の発明によれば、共通の動力源に基づいて、第１のレンズと第２のレンズとを連動させるレンズ連動機構であって、前記動力源にて駆動されることによって、前記第１のレンズを駆動する第１の駆動手段と、前記第１の駆動手段にて駆動されることによって、前記第２のレンズを駆動する第２の駆動手段とを備え、前記第１の駆動手段は、前記動力源から動力を受けることによって、前記第１のレンズを、該第１のレンズの光軸方向におけるテレ端からワイド端の範囲にて移動させるとともに、該第１のレンズの移動に対応する第１の駆動量を第２の駆動手段に与え、並びに、前記第１のレンズを、該第１のレンズの光軸方向におけるテレ端にて静止させるとともに、所定の第２の駆動量を前記第２の駆動手段に与え、前記第２の駆動手段は、その長手方向が前記第２のレンズの光軸方向に沿うように配置され、前記第１の駆動手段から前記第１の駆動量を受ける場合には、前記第２のレンズを、該第２のレンズの光軸方向におけるテレ端からワイド端の範囲にて移動させ、前記第１の駆動手段から前記第２の駆動量を受ける場合には、前記第２のレンズを、該第２のレンズの光軸方向におけるワイド端に移動させることとしたので、レンズ連動機構の大型化や複雑化を招くことなく、ズームレンズ系を利用した簡便な構成によってマクロ状態をつくりだすことが可能なレンズ連動機構が得られるという効果を奏する。
【００８０】
また、請求項２の発明によれば、前記第１の駆動手段は、前記動力源から動力を受けて回転する第１の回転部と、前記第１の回転部から前記第１のレンズ側に延出し、該第１のレンズを押圧する第１の押圧部と、前記第１の回転部の周面に位置し、前記第１のレンズを静止させる静止部と、前記第１の回転部から前記第２の駆動手段側に延出し、前記第１の押圧部が前記第１のレンズを押圧する間、前記第２の駆動手段を押圧する第２の押圧部と、前記第１の回転部に対して歯合して回転する第２の回転部と、前記第２の回転部から前記第２の駆動手段側に延出し、前記静止部が前記第１のレンズを静止させる間、前記第２の駆動手段を押圧する第３の押圧部と、を備えることとしたので、レンズ連動機構の大型化や複雑化を招くことなく、ズームレンズ系を利用した簡便な構成によってマクロ状態をつくりだすことが可能なレンズ連動機構が得られるという効果を奏する。
【００８１】
また、請求項３の発明によれば、前記第２の駆動手段は、該第２の駆動手段を前記第２のレンズの光軸方向に案内する案内部と、前記第２の押圧部に押圧される第１の被押圧部と、前記第３の押圧部に押圧される第２の被押圧部と、前記第１の被押圧部および前記第２の被押圧部に対して、前記第２のレンズ側における該第２のレンズの光軸方向の略延長線上に位置し、前記第１の被押圧部または前記第２の被押圧部が押圧されるにともなって、前記第２のレンズを押圧する第４の押圧部と、を備えることとしたので、レンズ連動機構の大型化や複雑化を招くことなく、ズームレンズ系を利用した簡便な構成によってマクロ状態をつくりだすことが可能なレンズ連動機構が得られるという効果を奏する。
【図面の簡単な説明】
【図１】本実施の形態に用いるカメラのレンズユニットの平面図である。
【図２】図１に示したカメラのレンズユニットの分解斜視図である。
【図３】レンズ連動機構による第２群レンズと第３群レンズとの連動を説明するための図である。
【図４】レンズ連動機構による第２群レンズおよび第３群レンズのレンズ位置の遷移を示す図である。
【図５】従来のズームレンズのレンズ構成を示す図である。
【符号の説明】
１０  撮影レンズ鏡胴
１１  第１群レンズ
１２  第２群レンズ
１２ａ  第２群レンズピン
１２ｂ  第３群レンズ付勢バネ
１３  第３群レンズ
１３ａ  第３群レンズピン
１３ｂ  第３群レンズ付勢バネ
１４  第１群レンズ案内溝
１５  第２群レンズ案内溝
１６  第１固定片
１７  前方固定ピン
１８  後方固定ピン
２０  スライドレバー
２１  第１レバーピン
２２  第２群レンズピン押圧部
２３  位置検出部
２４  ファインダーカム押圧部
２５  前方案内溝
２６  後方案内溝
２７  第２レバーピン
３０  基板
３１  カム
３１ａ  カム回転部
３１ｂ  第３群レンズピン押圧部
３１ｃ  第１レバーピン押圧部
３１ｄ  カム中心点
３２  モーター
３３  ギヤ
３４  前方固定穴
３５  後方固定穴
３６  前方案内ピン
３７  後方案内ピン
３８  マクロレバー
３８ａ  マクロレバー回転部
３８ｂ  第２レバーピン押圧部
３８ｃ  マクロレバー中心点
４０  ファインダー鏡胴
４１  対物ファインダーレンズ
４２  移動ファインダーレンズ
４２ａ  ファインダーレンズピン
４３  ファインダーレンズ案内溝
４４  ファインダーカム
４４ｃ  ファインダーカム中心点
４４ａ  被押圧溝
４４ｂ  押圧溝
４５  第２固定片
【図１】
0003820082.tif 000002
【図２】
0003820082.tif 000003
【図３】
0003820082.tif 000004
【図４】
0003820082.tif 000005
【図５】
0003820082.tif 000006